(57)【要約】      （修正有）【課題】ケース、弾性部材、アンロック部材を含むロックとアンロック機構を有する接続具を提供する。【解決手段】ケース１０の各案内溝１３の前端には、狭溝１４、凸部１５、垂直当て壁１６と係止溝１７が形成されている。弾性部材２０はケース１０に取付けられる。アンロック部材３０はケース１０に取付けられ、アンロック部材３０の各案内アーム３３の前端には係止シート３５と湾曲部３６が形成されている。アンロック部材３０の垂直部３２は弾性部材２０とケース１０の間に挿入され、案内アーム３３は案内溝１３内に挿入されており、係止シート３５は互いに対応する係止溝１７内に挿入され、湾曲部３６は狭溝１４に挿入されて凸部１５を被覆する。引き部３４を後ろへ引く時、垂直部３２が後ろへ移動して弾性部材２０を圧縮し、係止シート３５が係止溝１７に沿って後ろへ摺動する。【選択図】図２
0003198804.tif 000002
【実用新案登録請求の範囲】
【請求項１】
ケースと、該ケースに設けられている弾性部材と、該ケースに設けられているアンロック部材と、を含むロックとアンロック機構を有する接続具において、
該ケースは、前方に位置する挿入端と、後方に位置する固定端と、対称して該ケースの左右両側に設けられている２つの案内溝と、を含み、
該固定端は、頂部面と、該頂部面より低い取付表面と、該取付表面と該頂部面を連結する肩部と、を含み、
各案内溝の前端には、幅が該案内溝の幅より狭い狭溝と、該狭溝内に位置する凸部と、該案内溝と該狭溝の間に位置する垂直当て壁と、該垂直当て壁の後方に位置する係止溝と、が形成されており、
該弾性部材は該取付表面に取付けられ、該弾性部材は該肩部に向かっている少なくとも１つの支持ピンを有しており、
該アンロック部材は、頂壁と、該頂壁の前辺縁から下へ向って湾曲する垂直部と、対称して該頂壁の左右辺縁から下へ向って湾曲し、更に前へ向かって延伸する案内アームと、該頂壁の後方に位置する引き部と、を含み、
各案内アームの前端には、幅が該案内アームの幅より大きい係止シートと、該係止シートの前辺縁から前へ延伸し、かつ幅が該案内アームの幅より小さい湾曲部と、が形成されており、
該アンロック部材の頂壁は該取付表面を被覆しており、該垂直部は２つの支持ピンと該肩部の間に挿入され、該２つの支持ピンは該垂直部に当接しており、該案内アームは該案内溝内に挿入され、該係止シートは対応する係止溝内に挿入されており、該湾曲部は該狭溝に挿入されて該凸部を被覆し、該係止シートの長さは該係止溝の長さより短くなっており、
後ろへ向かって該引き部を引く時、該垂直部が後ろへ移動して該弾性部材を圧縮することにより、該案内アームが該案内溝に沿って後ろへ移動し、更に該係止シートが該係止溝に沿って後ろへ摺動し、該湾曲部が該凸部に沿って後ろへ移動する、ことを特徴とするロックとアンロック機構を有する接続具。
【請求項２】
該ケースは、該取付表面に設けられる前凸部と、該取付表面に設けられる後凸部、該前凸部と該後凸部の間に位置する円弧状溝と、を更に含む、ことを特徴とする請求項１に記載のロックとアンロック機構を有する接続具。
【請求項３】
該弾性部材は、該円弧状溝内に組立てられている円弧状段部と、２つの支持ピンと、を有し、該２つの支持ピンは、該円弧状段部の両端に対称して形成され、かつ該円弧状溝から内部へ向かって延伸する、ことを特徴とする請求項２に記載のロックとアンロック機構を有する接続具。
【請求項４】
該円弧状溝はV字形を形成し、その両端は該肩部に向かっており、該円弧状溝の両端の幅は該円弧状溝の中間の幅より大きくなっており、
該円弧状段部はV字形を形成し、該２つの支持ピンは該円弧状段部の両端から外部へ向かって湾曲される、ことを特徴とする請求項３に記載のロックとアンロック機構を有する接続具。
【請求項５】
該係止溝は、該案内溝の上内壁面、下内壁面に形成されて該案内溝と連通されており、
該係止シートの上下辺縁は該係止溝内に挿入される、ことを特徴とする請求項１に記載のロックとアンロック機構を有する接続具。
【請求項６】
各案内溝は、後方に位置する直線状溝と、前方に位置して内部へ傾斜する傾斜溝と、を含み、該傾斜溝の深さは該直線状溝の深さより大きくなり、該狭溝は該傾斜溝の前端に位置し、該係止溝は該傾斜溝と連通される、ことを特徴とする請求項５に記載のロックとアンロック機構を有する接続具。
【請求項７】
各案内アームは、後方に位置する直線アームと、前方に位置して内部へ傾斜する傾斜アームと、を含み、該係止シートと該湾曲部は該傾斜アームの前端に形成される、ことを特徴とする請求項６に記載のロックとアンロック機構を有する接続具。
【請求項８】
該湾曲部は、外部突出面と内部凹部面を有し、該内部凹部面は該凸部により被覆され、その外部突出面は外側に面する、ことを特徴とする請求項１に記載のロックとアンロック機構を有する接続具。
【請求項９】
該引き部は引きテープである、ことを特徴とする請求項１に記載のロックとアンロック機構を有する接続具。
【請求項１０】
該固定端の頂部面は該挿入端の頂部面より高く、該固定端の取付表面は該固定端の頂部面に平行する、ことを特徴とする請求項１に記載のロックとアンロック機構を有する接続具。
【考案の詳細な説明】
【技術分野】
【０００１】
本考案は接続具に関し、特にロックとアンロック機構を有する接続具に関する。
【背景技術】
【０００２】
クアッドスモールフォームファクタプラガブル（Quad  Small Form-factor  Pluggable、略称はQSFP）接続具は、高密度の高速挿抜可能な接続具である。通常、QSFP接続具にはロック機構が設けられており、QSFP接続具がソケットコネクタに接続される時、先ず、該QSFP接続具は遮蔽カバー内に挿入し、かつ該ロック機構により該QSFP接続具を該遮蔽カバー内に固定して、ソケットコネクタとの接続における安全性を確保することができる。接続の遮断を必要とする時、該QSFP接続具は更にアンロック機構を用いて、該遮蔽カバーと分離されて、即時に引抜かれることができる。
【０００３】
しかし、接続具が徐々に小さくなって来る度に、電子デバイス内のソケットコネクタの密集度が漸次に増加することにより、該QSFP接続具と該遮蔽カバーの固定または分離機構が段々複雑になって、その操作も更に難しくなって来た。
【考案の概要】
【考案が解決しようとする課題】
【０００４】
そのため、本考案は、ロックとアンロック機構を単純化し、更にそのアンロック操作を単純化する新型接続具を提供する。
【課題を解決するための手段】
【０００５】
本考案の主な目的は、効率的にロックまたはアンロックを行い、かつそのロックとアンロック機構の操作が非常に便利で、更に高速になるロックとアンロック機構を有する接続具を提供する。
【０００６】
本考案の他の目的と特徴は、本考案の技術手段により更に理解することができる。
【０００７】
前記目的を達するため、本考案は下記の技術手段を利用する。ロックとアンロック機構を有する接続具は、ケースと、該ケース上に設けられている弾性部材と、該ケース上に設けられているアンロック部材を含む。該ケースは、前方に位置する挿入端、後方に位置する固定端、該ケースの左右両側に対称して設けられている案内溝を含む。該固定端は、頂部面、該頂部面より低くなる取付表面、該取付表面と該頂部面を連結する肩部を含む。各案内溝の前端には幅が該案内溝より狭い狭溝、該狭溝の内部に位置する凸部、該案内溝と該狭溝の間に位置する垂直当て壁、該垂直当て壁の後方に位置する係止溝を含む。該弾性部材は該取付表面上に取付けられ、該弾性部材は該肩部に向かっている少なくとも１つの支持ピンを有する。該アンロック部材は、頂壁と、該頂壁の前辺縁から下へ向って湾曲する垂直部と、それぞれ該頂壁の左右辺縁から下へ向かって湾曲し、更に前へ向かって延伸する２つの対称する案内アームと、該頂壁の後方に位置する引き部と、を含む。各案内アームの前端には、幅が該案内アームの幅より大きい係止シートと、該係止シートの前辺縁から前へ向かって延伸し、かつ幅が該案内アームの幅より小さい湾曲部と、が形成されている。該アンロック部材の頂壁は該取付表面を被覆しており、該垂直部は２つの支持ピンと該肩部の間に挿入され、２つの支持ピンは該垂直部に当接しており、該案内アームは該案内溝内に挿入される。該係止シートは互いに対応する係止溝内に挿入し、該湾曲部は該狭溝に挿入されて該凸部を被覆しており、該係止シートの長さは該係止溝の長さより短い。該引き部を後ろへ引く時、該垂直部が後ろへ移動して該弾性部材を圧縮し、該案内アームは該案内溝に沿って後ろへ移動することができ、該係止シートは該係止溝に沿って後ろへ摺動し、該湾曲部は該凸部に沿って後ろへ移動することができる。
【０００８】
１つの実施例で、該ケースは、該取付表面上に設けられている前凸部、該取付表面上に設けられる後凸部、該前凸部と該後凸部の間に位置する円弧状溝を更に含む。
【０００９】
１つの実施例で、該弾性部材は、該円弧状溝内に組立てられている円弧状段部、２つの支持ピンを有し、該２つの支持ピンは対称して該円弧状段部の両端に形成され、かつ該円弧状溝内から延伸されている。
【００１０】
１つの実施例で、該円弧状溝はV字形を形成し、その両端は該肩部を向かっており、該円弧状溝の両端の幅は該円弧状溝の中間の幅より大きい。該円弧状段部はV字形を形成し、該２つの支持ピンは該円弧状段部の両端から外部へ向かって湾曲されている。
【００１１】
１つの実施例で、該係止溝は該案内溝の上内壁面、下内壁面に形成されて該案内溝に連通される。該係止シートの上下辺縁は該係止溝内に挿入されている。
【００１２】
１つの実施例で、各案内溝は後方に位置する直線状溝と前方に位置して内部へ向かって傾斜する傾斜溝とを含み、該傾斜溝の深さは該直線状溝の深さより大きい。該狭溝は該傾斜溝の前端に位置し、該係止溝は該傾斜溝に連通される。
【００１３】
１つの実施例で、各案内アームは後方に位置する直線アームと前方に位置して内部へ向かって傾斜する傾斜アームとを含み、該係止シートと該湾曲部は該傾斜アームの前端に形成されている。
【００１４】
１つの実施例で、該湾曲部は外部突出面と内部凹部面を有し、該内部凹部面は該凸部に覆われており、該外部突出面は外側に面している。
【００１５】
１つの実施例で、該引き部は引きテープである。
１つの実施例で、該固定端の頂部面は該挿入端の頂部面より高くなり、該固定端の取付表面は該固定端の頂部面に平行する。
【００１６】
従来技術に比べて、本考案のロックとアンロック機構を有する接続具は、該ケースに該垂直当て壁を設けることにより、効率的に該遮蔽カバーに係止されることができ、該アンロック部材の湾曲部によって効率的に該接続具をアンロックすることができ、更に該弾性部材の作用によって初期状態に復帰されることができる。本考案の接続具のロックとアンロック方式は非常に便利で、更に迅速になる。
【図面の簡単な説明】
【００１７】
【図１】図1は、本考案におけるロックとアンロック機構を有する接続具の立体構造を示す図である。
【図２】図2は、本考案におけるロックとアンロック機構を有する接続具の分解構造を示す図であり、アンロック部材と弾性部材がケースから取外された状態を示している。
【図３】図3は、本考案におけるロックとアンロック機構を有する接続具の分解構造を示す図であり、アンロック部材がケースから取外され、弾性部材がケースに位置する状態を示している。
【図４】図4は、図3に示されている本考案のロックとアンロック機構を有する接続具における他の角度で観察した状態を示す図である。
【図５】図5は、本考案におけるロックとアンロック機構を有する接続具と遮蔽カバーの位置関係を示す図である。
【考案を実施するための形態】
【００１８】
以下は図面と実施例を合わせて本考案に対して説明する。本考案で用いる方向の用語、例えば「上」、「下」、「前」、「後」、「左」、「右」、「頂」、「底」などは、本考案の図面における方向であり、例えば、図1の製品構造の方向を参照されたい。そのため、使用される方向の用語は本考案を説明と理解するためであり、本考案を制限するものではない。
【００１９】
図1から4に示されるように、本考案のロックとアンロック機構を有する接続具1は、主にケース10、該ケース10に設けられている弾性部材20、該ケース10に設けられているアンロック部材30を含む。
【００２０】
図2に示されるように、該ケース10は前方に位置する挿入端11と後方に位置する固定端12とを有し、該固定端12の頂部面120は該挿入端11の頂部面110より高い。図5に示されるように、該ケース10の挿入端11は遮蔽カバー9内に挿入されてソケットコネクタ（未図示）と接続されており、該固定端12は該遮蔽カバー9の外部に露出されている。
【００２１】
図2に示されるように、該ケース10の固定端12は、該頂部面120より低く、かつその頂部面120に平行する取付表面121と、該取付表面121と該頂部面120を連結する肩部122と、該取付表面121に形成される前凸部123と、該取付表面121に形成される後凸部124と、該前凸部123と該後凸部124の位置する円弧状溝125と、を含む。本実施例で、該円弧状溝125はほぼV字形を形成し、その両端は該肩部122に向かっており、該円弧状溝125の両端の幅は該円弧状溝125の中間幅より大きい。
【００２２】
図2に示されるように、該ケース10は、該ケース10の左右両側に対称して設けられ、かつ該ケース10の長手方向に沿って延伸される２つの案内溝13を更に含む。各案内溝13の前端には、幅が該案内溝13の幅より小さい狭溝14、該狭溝14内に位置する凸部15、該案内溝13と該狭溝14の間に位置する垂直当て壁16（図4には該垂直当て壁16が更に明確に示されている）、該垂直当て壁16の後方に位置して該案内溝13の上内壁面、下内壁面に形成される係止溝17が形成されている。具体的に、該係止溝17の一部は下内壁面130に形成され、他の一部（図2に示されていない）は上内壁面に形成されている。本実施例で、２つの案内溝13は、該固定端12の両側から該挿入端11の両側に挿入され、かつ各案内溝13の長さは該ケース10の半分の長さにほぼ等しくなっている。該凸部15は該狭溝14内に位置しているが、該狭溝14に延伸されていない。更に、各案内溝13は後方に位置する直線状溝131と前方に位置して内部へ傾斜する傾斜溝の132を含み、それにより、該傾斜溝132の深さは該直線状溝131の深さより大きい。本実施例で、該狭溝14は該傾斜溝132の前端に位置し、該係止溝17は該傾斜溝132に連通されている。
【００２３】
図2に示されるように、該弾性部材20は、円弧状段部21、対称して該円弧状段部21の両端に位置する２つの支持ピン22を含む。本実施例で、該弾性部材20の円弧状段部21はほぼV字形を形成し、該２つの支持ピン22は該円弧状段部21の両端から外部に向かって湾曲されている。ここで説明するべきとして、該弾性部材20の円弧状段部21と２つの支持ピン22は本考案の１つの実施例であり、実際、該弾性部材20は他の固定手段を用いて該ケース10の取付表面121に設けられ、かつ該弾性部材20は更に１つの支持ピン22（または支持面）を介して、該アンロック部材30により圧縮されて弾性変形を引き起こす目的を達することができる。
【００２４】
図3、図4に示されるように、該弾性部材20は該ケース10の固定端12に取付けられており、該円弧状段部21は該円弧状溝125内に配置され、該２つの支持ピン22は該肩部122に対向している。
【００２５】
図2に示されるように、該アンロック部材30は、頂壁31、該頂壁31の前辺縁から下へ向って湾曲される垂直部32、それぞれ該頂壁31の左右辺縁から下へ向って湾曲されて前へ延伸する２つの対称する案内アーム33、該頂壁31の後方に位置して２つの案内アーム33に連結される引き部34を含む。各案内アーム33の前端には、幅が該案内アーム33の幅より大きい係止シート35、該係止シート35の前辺縁から前へ向かって延伸し、かつ幅が該案内アーム33の幅より小さい湾曲部36が形成され、該湾曲部36は外部突出面360と内部凹部面361を有する。本実施例で、各案内アーム33は、後方に位置する直線アーム330と前方に位置して内部へ傾斜する傾斜アーム331を含み、該係止シート35と該湾曲部36は該傾斜アーム331の前端に形成される。本実施例で、該引き部34は引きテープである。
【００２６】
図1、図3、図4に示されるように、該アンロック部材30は該ケース10に設けられ、該アンロック部材30の頂壁31は該ケース10の固定端12の取付表面121を被覆している。該垂直部32は２つの支持ピン22と該肩部122の間に挿入され、該２つの支持ピン22は該垂直部32に当接されている。該案内アーム33は該案内溝13内に挿入され、該係止シート35の上下辺縁は該係止溝17内に挿入されている。該湾曲部36は該狭溝14内に挿入され、かつその内部凹部面361は該凸部15により被覆され、その外部突出面360は外側に面している。本実施例で、該係止シート35の長さは該係止溝17の長さより小さいため、ロッキングを解除する時、該係止シート35は該係止溝17の内で前後に摺動することができる。
【００２７】
下記では、本考案の接続具1と該遮蔽カバー9のロッキングとアンロック原理を詳細に説明する。
図2と図5に示されるように、本考案の接続具1の挿入端11が該遮蔽カバー9内に挿入される時、該遮蔽カバー9の両側の内部湾曲シート90は該案内溝13内に挿入されて該垂直当て壁16に当接することにより、該接続具1が該遮蔽カバー9から離れることができる。ロッキングを解除する時、外力を用いて該アンロック部材30の引き部34を後ろへ引くことで、該凸部15を覆う該湾曲部36が後ろへ移動し、この時、該湾曲部36の外部突出面360が順調に該内部湾曲シート90を外部へ押し上げている。該内部湾曲シート90が完全に押し上げられて該垂直当て壁16から離れる時、順調に該接続具1を引抜くことができる。更に、ロッキングを解除する過程で、該アンロック部材30の引き部34が後ろへ引かれる時、該垂直部32が後ろへ移動して該弾性部材20の支持ピン22を漸次に開き、この時、該弾性部材20が弾性変形される。ロッキングが解除された後、外力を外すと、該アンロック部材30は更に該弾性部材20の弾力の作用によって前へ移動して初期状態に戻される。
【００２８】
上述により、本考案のロックとアンロック機構を有する接続具1は、該ケース10に該垂直当て壁16を設けることにより、効率的に該遮蔽カバー9にロッキングすることができ、該アンロック部材30の湾曲部36により効率的に該接続具1のロッキングを解除し、かつ該弾性部材20の作用によって初期状態に戻ることができる。これにより、本考案の接続具1のロッキングとアンロック方式は更に便利で、迅速になっている。
【符号の説明】
【００２９】
1 接続具
10 ケース
11 挿入端
110、120 頂部面
12 固定端
121 取付表面
122 肩部
123 前凸部
124 後凸部
125 円弧状溝
13 案内溝
130 内壁面
131 直線状溝
132 傾斜溝
14 狭溝
15 凸部
16 垂直当て壁
17 係止溝
20 弾性部材
21 円弧状段部
22 支持ピン
30 アンロック部材
31 頂壁
32 垂直部
33 案内アーム
330 直線アーム
331 傾斜アーム
34 引き部
35 係止シート
36 湾曲部
360 外部突出面
361 内部凹部面
9 遮蔽カバー
90 内部湾曲シート
【図１】
0003198804.tif 000003
【図２】
0003198804.tif 000004
【図３】
0003198804.tif 000005
【図４】
0003198804.tif 000006
【図５】
0003198804.tif 000007